(57)【要約】【目的】  ベルトクリップ本来の機能に加え、安全に外部のフック部材にも係着できるようにして、ベルトに設けられているカラビナ（茄子環やＤフックなど）にも巻尺をコンパクトに掛けることができる巻尺用ベルトクリップを提供できるようにする。【解決手段】  ベルトクリップを、ケース１に固定するベース体２と、ベース体２にスライド移動可能に支持する可動クリップ体３から構成し、可動クリップ体３を移動させる方向により、作業者が装着するベルトに係着可能なクリップ形態と外部のフック部材に係着可能な係着具形態に変化できるようにする。【選択図】  図１
0003172680.tif 000002
【実用新案登録請求の範囲】
【請求項１】
巻尺のケースに取り付けられ、該ケースを作業者のベルトに係着する際に用いられる巻尺用ベルトクリップにおいて、該ベルトクリップが、ケースに固定するベース体と、該ベース体に支持され少なくともケースとの間に前記ベルトが入る空間を形成するクリップ形態と外部のフック部材に係着する係着具形態に変化できる可動クリップ体と、からなり、該可動クリップ体は、少なくとも初期位置のクリップ形態にしているときにはベルトクリップに有するクリップ形態維持手段により同クリップ形態に維持され、且つ、クリップ形態維持手段による維持を解除することによって係着具形態に変化させることができるように構成したことを特徴とする巻尺用ベルトクリップ。
【請求項２】
前記可動クリップ体は、ケースの上下方向にスライド移動可能にベース体に支持されていて、可動クリップ体をケースの下方向にスライド移動して本体の大半をベース体の支持部よりも下方に移動させたときにクリップ形態になり、また、可動クリップ体をケースの上方向にスライド移動して本体の大半をベース体の支持部よりも上方に移動させたときに係着具形態になるように構成したことを特徴とする請求項１に記載の巻尺用ベルトクリップ。
【請求項３】
前記ベース体と可動クリップ体のうち少なくとも可動クリップ体は弾性を有していて、この弾性により可動クリップ体の先端とケース面との間が外力によって離間可能であり、且つ、弾性復元力によって初期位置に復帰できるように構成したことを特徴とする請求項１に記載の巻尺用ベルトクリップ。
【考案の詳細な説明】
【技術分野】
【０００１】
本考案は、巻尺のケースを作業者のベルトに係着する際に用いられる巻尺用ベルトクリップに関し、より詳しくは、外部のフックにも対応可能なベルトクリップに関する。
【背景技術】
【０００２】
従来、巻尺用ベルトクリップは、図５に示すように、ヘアピン状に形成したプレート体８の同プレート間に作業者が装着するベルト９を挿嵌できるようになっていて、例えば、測定作業中に巻尺を一時保持する時や移動のため携帯する際には、該プレート体８をベルト９に係着することによって同巻尺を作業者が装着するベルト９に保持させることができる（例えば、特許文献１参照）。
【０００３】
そして、最近では巻尺以外にもベルトに係着できるように構成された工具が格段に増えていることから、ベルトもこれに対応すべく多くの工具を携帯できるようベルトにカラビナ（茄子環やＤフックなど）などの吊り下げ具を多数並設するタイプに変わってきており、このため、巻尺をベルトクリップによってベルトの係脱し易い位置に係着することができなくなった。
【０００４】
したがって、巻尺をベルトに保持させる場合は、止むを得ず巻尺に有する手首に掛けて用いる手下げ用ストラップ（例えば、特許文献２参照）を同ベルトのカラビナ（茄子環やＤフックなど）に掛けて保持する場合があった。
【０００５】
上記のように、手下げ用ストラップをカラビナ（茄子環やＤフックなど）に掛けて巻尺を保持した場合は、巻尺が作業者の太もも付近まで垂れ下がってしまうため、歩行の際や腰を落とした低い姿勢で行う作業の際に同巻尺が非常に邪魔になっていて、これにより、作業に集中できない恐れや、２次災害が生じる恐れがあるといった問題が生じていた。
【先行技術文献】
【特許文献】
【０００６】
【特許文献１】登録実用新案第３１３８２８６号公報（第１〜５頁、図１〜３）
【特許文献２】特開２００１−１７４２０１号公報（第１〜４頁、図５）
【考案の概要】
【考案が解決しようとする課題】
【０００７】
本考案の目的とするところは、ベルトクリップ本来の機能に加え、安全に外部のフック部材にも係着できるようにして、ベルトに設けられているカラビナ（茄子環やＤフックなど）にも巻尺をコンパクトに掛けることができる巻尺用ベルトクリップを提供できるようにすることにある。
【課題を解決するための手段】
【０００８】
上述した課題を解決するために、本考案に係る巻尺用ベルトクリップは、巻尺のケースに取り付けられ、該ケースを作業者のベルトに係着する際に用いられる巻尺用ベルトクリップにおいて、該ベルトクリップが、ケースに固定するベース体と、該ベース体に支持され少なくともケースとの間に前記ベルトが入る空間を形成するクリップ形態と外部のフック部材に係着する係着具形態に変化できる可動クリップ体からなり、該可動クリップ体は、少なくとも初期位置のクリップ形態にしているときにはベルトクリップに有するクリップ形態維持手段により同クリップ形態に維持され、且つ、クリップ形態維持手段による維持を解除することによって係着具形態に変化させることができるように構成したことを特徴とするものである。
【０００９】
具体的には、可動クリップ体を、ケースの上下方向にスライド移動可能にベース体に支持して、この可動クリップ体をケースの下方向にスライド移動して本体の大半をベース体の支持部よりも下方に移動させたときにクリップ形態になるようにすると共に、可動クリップ体をケースの上方向にスライド移動して本体の大半をベース体の支持部よりも上方に移動させたときに係着具形態になるようにする。
上記ケースの上下方向とは、ケース内に収容する測定テープの引き出し方向と略直交する方向で、該測定テープの出入り口が設けられている部位がケースの下方となる。
また、上記可動クリップ体の係着具形態とは、ベース体の支持部よりも上方に移動した可動クリップ体の一部がケースよりも突出して同突出する部位が外部のフック部材に係着可能になった状態である。
【００１０】
可動クリップ体は、クリップ形態また係着具形態にしたとき、少なくともクリップ形態にしたときには同クリップ形態を維持できるようにしておくのが普通であり、例えば、ベルトクリップ（ベース体／可動クリップ体）に自動や手動によるロック機構を設けて、可動クリップ体をケースの下方向にスライド移動して本体の大半をベース体の支持部よりも下方に移動、すなわち、ベース体の支持部より突出させてクリップ形態にしたときに前記ロック機構によってロックし、同クリップ形態を維持できるようにする。
【００１１】
また、可動クリップ体をケースの下方向にスライド移動して本体の大半をベース体の支持部よりも下方に移動、すなわち、ベース体の支持部より突出させてクリップ形態に変化させるとき、可動クリップ体の一部がベース体の支持部に徐々に喰い込んでロックするように構成（例えば、締まり嵌め構造などを利用）する。
すなわち、可動クリップ体の一部がベース体の支持部に喰い込むことによって同可動クリップ体のスライド移動が抑制されてロックし、同クリップ形態を維持できるようにする。
【００１２】
そして、可動クリップ体は金属や樹脂などの線状材やプレート材（薄板）から形成し、且つ、可動クリップ体をクリップ形態にしているときは、少なくとも同可動クリップ体とケース面との間に、巻尺の携帯者たる作業者のベルトを入れることのできる空間が形成されるようにする。
【００１３】
また、作業者のベルトを、可動クリップ体の先端側より同可動クリップ体とケース面との間に入れ易くするために、素材の性質による弾性によって可動クリップ体の先端とケース面との間が外力によって離間できて、また弾性復元力によって初期位置に復帰できるようにするのがよい。
【００１４】
可動クリップ体の形状は特に限定するものではないが、特に線状材を用いて形成する場合は、平面視において環状に形成することによってベース体にスライド移動可能に支持し易くできる。
【００１５】
ベース体は、例えば、金属／樹脂／天然ゴム／合成ゴム／シリコーン／エラストマなどから形成し、また同ベース体をケースに固定する際は、例えば、左右の半ケースを固定して巻尺ケースを形成する際に用いる固定用ねじを用いてケース上に固定すればよい。
【００１６】
そして、可動クリップ体の一部がベース体の支持部に喰い込むことによって同可動クリップ体のスライド移動が抑制されてロックし、同クリップ形態を維持できるようにする場合は、少なくともベース体の支持部を、天然ゴム／合成ゴム／シリコーン／エラストマなどから形成するのがよい。
【考案の効果】
【００１７】
本考案の巻尺用ベルトクリップによれば、同ベルトクリップの可動クリップ体を、巻尺の携帯者たる作業者のベルトに係着するためのクリップ形態と、ベルトに備えるカラビナ（茄子環やＤフックなど）などの吊り下げ具に掛着するための係着具形態に、必要に応じて簡単に変化させることができる。
【００１８】
これにより、巻尺をカラビナ（茄子環やＤフックなど）などの吊り下げ具を備えるベルトに係着する場合は、クリップ形態にしている可動クリップ体を係着具形態に変化させることによって同可動クリップ体がベルトのカラビナ（茄子環やＤフックなど）などの吊り下げ具に掛けるのに適した形状になり、そして、この係着具形態に変化した可動クリップ体をベルトのカラビナ（茄子環やＤフックなど）などの吊り下げ具に掛けることで巻尺をしっかりと作業者のベルトに保持させることができる。
【００１９】
また、カラビナ（茄子環やＤフックなど）に保持した巻尺は必要以上に垂れ下がらないのでコンパクトに吊り下げておくことができ、これにより、歩行の際や腰を落とした低い姿勢で行う作業の際にも同巻尺が大きく揺動したり床面上を引きずることもまずなく、作業に集中することができる。
【図面の簡単な説明】
【００２０】
【図１】本考案に係る巻尺用ベルトクリップを示す斜視図。
【図２】ベルトクリップの可動クリップ体を変化させた状態を示す斜視図。
【図３】ベルトクリップの使用状態を示す図。
【図４】ベルトクリップの使用状態を示す図。
【図５】従来のベルトクリップを設けている巻尺を示す斜視図。
【考案を実施するための形態】
【００２１】
以下、本考案に係る巻尺用ベルトクリップを、添付図面に示す具体例に基づいて説明する。
【００２２】
本考案の巻尺用ベルトクリップは、図１に示すように、巻尺のケース１に固定されるベース体２と、ベース体２の支持部２ａに支持され、且つ、同ベース体２が取り付けられるケース１面に略並行にスライド移動する可動クリップ体３から構成している。
【００２３】
また本図１に示す可動クリップ体３は、可動クリップ体３の本体たるアーム部３ａをベース体２の支持部２ａに支持して、このアーム部３ａが支持部２ａ内をスライド移動するようにしているものである。
【００２４】
ベース部２は、例えば、金属加工品や樹脂成型品などから形成していて、ケース１上に同ケース１の組み立ての際に用いる固定用ねじたる雄ねじ４によって固定している。
【００２５】
可動クリップ体３は、例えば、弾性を有する金属や樹脂などの線状材から形成していて、且つ、可動クリップ体３を同図１のようにクリップ形態にしているときは、可動クリップ体３とケース１面との間に、巻尺の携帯者たる作業者のベルト６（図３を参照）を入れることのできる空間たるベルト挿通部５（図３を参照）を形成できるようにしている。
【００２６】
さらに可動クリップ体３は、作業者のベルト６（図３を参照）を、同可動クリップ体３の先端３ｂ側よりベルト挿通部５に入れることができるよう素材の性質による弾性によって可動クリップ体３の先端３ｂとケース１面との間が外力によって離間できて、且つ、弾性復元力によって初期位置に復帰できるようにしている。
【００２７】
そして、可動クリップ体３は、同図１のようにクリップ形態にしているときは公知の技術によって同クリップ形態を維持するようにしている。
また、クリップ形態を維持するための維持手段は、本ベルトクリップを設ける巻尺ケースの形態によりベルトクリップ形状などが変化するため、可動クリップ体３のクリップ形態を維持するための維持機構は、本実施例中での図示は省略している。
【００２８】
可動クリップ体３のクリップ形態を維持するための維持機構としては、ベルトクリップ（ベース体２／可動クリップ体３）に自動や手動による公知の技術で構成したロック機構を設けて、可動クリップ体３をスライド移動して本体の大半をベース体２の支持部２ａよりも下方に移動、すなわち、ベース体２の支持部２ａより突出させてクリップ形態にしたときに前記ロック機構によってロックし、同クリップ形態を維持できるようにする。
【００２９】
また、可動クリップ体３をスライド移動して本体の大半をベース体２の支持部２ａよりも下方に移動、すなわち、ベース体２の支持部２ａより突出させてクリップ形態に変化させるとき、可動クリップ体３のアーム部３ａがベース体２の支持部２ａ内の通路壁に徐々に喰い込んでロックするように構成（例えば、締まり嵌め構造などを利用）して、すなわち、可動クリップ体３のアーム部３ａがベース体２の支持部２ａ内の通路壁に喰い込むことによって同可動クリップ体３のスライド移動が抑制されてロックし、同クリップ形態を維持できるようにする。
【００３０】
以下、上述のように構成した本考案に係る巻尺のベルトクリップの作用について説明する。
【００３１】
図１に示したベース体２の支持部２ａに支持される可動クリップ体４のアーム部が同支持部２ａの一側にスライド移動してクリップ形態になっている状態から、図２に示した外部のフック部材に係着できる係着具形態に変化させる場合を説明する。
【００３２】
図１のように、クリップ形態に固定されている可動クリップ体３の固定を解除する。すなわち、可動クリップ体３をロック機構によって固定しているものは同ロックを解除し、また、可動クリップ体３のアーム部３ａをベース体２の支持部２ａ内の通路壁に喰い込ませて固定しているものは同アーム部３ａの先端３ｂをベース体２の支持部２ａ方向に所定の力で押して食い込みを解除する。
【００３３】
次いで、アーム部３ａをベース体２の支持部２ａ方向、すなわち、ケース１の上方向（図１中の矢印Ａ方向）にスライド移動して同アーム部３ａの大半をベース体２の支持部２ａよりも上方に移動すると共にこの一部をケース１よりも突出させることにより、図２に示した外部のフック部材７（図４を参照）に係着できる係着具形態に変化する。
【００３４】
図４は、係着具形態に変化させた可動クリップ体３により、巻尺を作業者のベルトに有するカラビナ（茄子環やＤフックなど）などの吊り下げ具に掛着した状態を示している。
【符号の説明】
【００３５】
１  ケース
２  ベース体
２ａ  支持部
３  可動クリップ体
３ａ  アーム部
３ｂ  先端
４  雄ねじ
５  ベルト挿通部
６  ベルト
７  フック部材
８  プレート体
９  ベルト
【図１】
0003172680.tif 000003
【図２】
0003172680.tif 000004
【図３】
0003172680.tif 000005
【図４】
0003172680.tif 000006
【図５】
0003172680.tif 000007